(57)【要約】【課題】  ほのかな香りをあぶらとり紙に付与しつつも、使用後の肌に香料成分が残存しないあぶらとり紙を提供することにある。【解決手段】  あぶらとり紙と共にあぶらとり紙収納容器内に収納される台紙であって、香料が含浸されていることを特徴とする台紙とする。また、あぶらとり紙と、該あぶらとり紙を内部空間に収容するあぶらとり紙収納容器と、該容器の内底面と前記あぶらとり紙の間に配置される台紙とから成り、該台紙に香料が含浸されていることを特徴とするあぶらとり紙セットとする。【選択図】図５
2006204531.tif 000002
【特許請求の範囲】
【請求項１】
あぶらとり紙と共にあぶらとり紙収納容器内に収納される台紙であって、香料が含浸されていることを特徴とする台紙。
【請求項２】
坪量が１５０〜５００ｇ／ｍ２であることを特徴とする請求項１記載の台紙。
【請求項３】
原料繊維がコットンであることを特徴とする請求項１又は２に記載の台紙。
【請求項４】
あぶらとり紙と、該あぶらとり紙を内部空間に収容するあぶらとり紙収納容器と、該容器の内底面と前記あぶらとり紙の間に配置される台紙とから成り、該台紙が請求項１乃至３いずれかに記載の台紙であることを特徴とするあぶらとり紙セット。
【請求項５】
前記収納容器は、前記あぶらとり紙と台紙の間に、該あぶらとり紙と台紙との接触を防ぐ仕切り片を有していることを特徴とする請求項４記載のあぶらとり紙セット。
【請求項６】
前記収納容器が１枚のシートを折り畳んで形成される容器であって、前記シートは展開状態において、容器の上蓋を形成する上蓋片と、容器の底面を形成する底部片と、これら底部片と上蓋片との間に介在される中蓋片とが、折り返し線を挟んでこの順に上下に連続して形成されてなるとともに、前記底部片及び中蓋片の左右両側部には前記仕切り片が折り返し可能に設けられるとともに、前記あぶらとり紙及び台紙が該仕切り片を挟んで上下に配置されていることを特徴とする請求項５記載のあぶらとり紙セット。
【請求項７】
前記香料の粘度が０．１〜２０ｍＰａ・ｓであることを特徴とする請求項４乃至６いずれかに記載のあぶらとり紙セット。
【請求項８】
前記容器が内面に合成樹脂被膜を設けた紙から形成されていることを特徴する請求項４乃至７いずれかに記載のあぶらとり紙セット。
【発明の詳細な説明】
【技術分野】
【０００１】
本発明は香料含浸台紙及び該香料含浸台紙が内填されたあぶらとり紙セットに関する。その目的は、あぶらとり紙に香料を直接適用しないため、ほのかな香りをあぶらとり紙に付与しつつも、使用後の肌に香料成分が残存しないあぶらとり紙を提供することにある。
【背景技術】
【０００２】
従来、あぶらとり紙は単に皮脂を吸収するためのものであったが、近年に至っては、通常のあぶらとり紙に加え、香りが付与されたあぶらとり紙の需要が増えてきた。
しかしながら、あぶらとり紙に香りを付与する目的で、香料をあぶらとり紙に含浸させると、紙製容器の表面に香料がにじむだけでなく、そのようなあぶらとり紙は、付与された香りが強すぎるため、使用後の肌に香りが残存することとなる。特に化粧品を使用した肌に付着した香りは、化粧品の香りと混ざり合って使用者に不快感をもたらすこととなる。
【０００３】
上記の問題を鑑み、あぶらとり紙への香り付与の様々な方法が発明され、香り付きのあぶらとり紙が開発、市販されている。
例えば、特許文献１には、香料を含有するサイクロデキストリンと、香料を含有する圧縮崩壊性マイクロカプセルを混合し可撓性シート表面に保持される脂取りシートが開示されている。この発明によると、香料を含むマイクロカプセルが皮膚に押圧される際にマイクロカプセルが崩壊し、香りを生じることとなる。
【０００４】
特許文献２には、球状微粒子パウダーと、香料を放出するマイクロカプセルを付着させた脂取り紙が開示されている。
【０００５】
また、特許文献３には、多数の拭き取り紙と該抜き取り紙を包む容器と芳香シートからなり、該芳香シートには、香料を封入したマイクロカプセルを含む芳香層が形成されているあぶらとり紙が開示されている。詳細には、前記芳香層は、拭き取り紙束に向けて容器と拭き取り紙束との間に配置され、拭き取り紙が引き出される際に、拭き取り紙との摩擦によってマイクロカプセルを破り、引き出された拭き取り紙に香りをうつし、かつ香料を付着させる。
【０００６】
特許文献４には、吸油性に優れた薄葉紙の束、薄葉紙の束を収容する容器並びに容器と薄葉紙との間に配置した香り付与シートからなるあぶらとり紙用具が開示されている。香り付与シートの表面に香料入りのマイクロカプセルを配置し、かつ、香り付与シートが容器から薄葉紙を引き出す側と反対側で薄葉紙の束を挟むように構成されている。詳細には、薄葉紙を容器から引き出す際に、香り付与シートを薄葉紙に押し付けて香りを薄葉紙に付与することが開示されている。
【０００７】
【特許文献１】特開平１１−２５３２２９号公報
【特許文献２】実用新案登録第３１０２８０７号公報
【特許文献３】特開平１１−５６４７０号公報
【特許文献４】実用新案登録第３０５５６４５号公報
【発明の開示】
【発明が解決しようとする課題】
【０００８】
上記特許文献１〜４に記載の発明によれば、香料をマイクロカプセルに封入することにより、容器に香料がにじみ出るという前述の問題は幾分か解消できた。しかしながら、香料をマイクロカプセルに封入し、それを崩壊させてあぶらとり紙に香りをつけるという方法では、あぶらとり紙に直接香料液が付着することになる。このため、あぶらとり紙に付与される香りが強すぎて、使用後も香りが肌に残存することとなり、使用者に不快感をもたらすという問題は解決できなかった。
【０００９】
さらに、上記特許文献３及び４に記載の香料が封入されたマイクロカプセルが付着した香り付与シートが設けられたあぶらとり紙セットは、使用時に、マイクロカプセルとあぶらとり紙との摩擦によってマイクロカプセルを崩壊させ香りをあぶらとり紙に付着させる。或は、該個別のシートをあぶらとり紙に押し当てることによりマイクロカプセルを崩壊させ香りを付着させる。このようなあぶらとり紙セットは、使用者があぶらとり紙容器の所定の場所を押圧しないであぶらとり紙に香りを付与することは難しい。即ち、香りを生じさせるためには、使用の度に押圧しなければならず、使用者にとって面倒なものである。さらに、前記香り付与シートには、全体的にマイクロカプセルが付着しているにもかかわらず、実際、使用者が押圧する部分は限定される。従って、特許文献３及び４記載のあぶらとり紙セットは、香り付与シートにマイクロカプセルが崩壊しないままで残ることとなり効率的でない。
【００１０】
本発明の目的は、使用者の手間を取らせることなく、ほのかな香りをあぶらとり紙に付与しつつも、使用後の肌に香料成分が残存しないあぶらとり紙を提供することにある。
【課題を解決するための手段】
【００１１】
請求項１に係る発明は、あぶらとり紙と共にあぶらとり紙収納容器内に収納される台紙であって、香料が含浸されていることを特徴とする台紙に関する。
請求項２に係る発明は、坪量が１５０〜５００ｇ／ｍ２であることを特徴とする請求項１記載の台紙に関する。
請求項３に係る発明は、原料繊維がコットンであることを特徴とする請求項１又は２に記載の台紙に関する。
請求項４に係る発明は、あぶらとり紙と、該あぶらとり紙を内部空間に収容するあぶらとり紙収納容器と、該容器の内底面と前記あぶらとり紙の間に配置される台紙とから成り、該台紙が請求項１乃至３いずれかに記載の台紙であることを特徴とするあぶらとり紙セットに関する。
請求項５に係る発明は、前記収納容器は、前記あぶらとり紙と台紙の間に、該あぶらとり紙と台紙との接触を防ぐ仕切り片を有していることを特徴とする請求項４記載のあぶらとり紙セットに関する。
請求項６に係る発明は、前記収納容器が１枚のシートを折り畳んで形成される容器であって、前記シートは展開状態において、容器の上蓋を形成する上蓋片と、容器の底面を形成する底部片と、これら底部片と上蓋片との間に介在される中蓋片とが、折り返し線を挟んでこの順に上下に連続して形成されてなるとともに、前記底部片及び中蓋片の左右両側部には前記仕切り片が折り返し可能に設けられるとともに、前記あぶらとり紙及び台紙が該仕切り片を挟んで上下に配置されていることを特徴とする請求項５記載のあぶらとり紙セットに関する。
請求項７に係る発明は、前記香料の粘度が０．１〜２０ｍＰａ・ｓであることを特徴とする請求項４乃至６いずれかに記載のあぶらとり紙セットに関する。
請求項８に係る発明は、前記容器が内面に合成樹脂被膜を設けた紙から形成されていることを特徴する請求項４乃至７いずれかに記載のあぶらとり紙セットに関する。
【発明の効果】
【００１２】
請求項１に係る香料含浸台紙は、あぶらとり紙と共にあぶらとり紙収納容器に収納されることにより、あぶらとり紙収納容器の開封時或はあぶらとり紙を抜き取る際に、ほのかな香りを使用者に提供することができる。また、あぶらとり紙に間接的に香りを付与することにより、該あぶらとり紙を使用し、皮脂を吸着させている際も、使用者がほのかな香りを楽しむことができる。
請求項２に係る香料含浸台紙は、坪量が１５０〜５００ｇ／ｍ２であるので、香料の含湿性に優れているため香料保留性に効果的である。
請求項３に係る香料含浸台紙は、原料繊維がコットンであるので、吸収性に優れているため、保留効果が持続的である。
請求項４に係るあぶらとり紙セットは、使用者があぶらとり紙を抜き取る際、或はあぶらとり紙を使用する際に、台紙から生じるほのかな香りを楽しむことができる。また、あぶらとり紙に台紙を介して間接的に香りが付与されているため、使用後の肌に香りが残存することがないため使用者に不快感を与えない。
請求項５に係るあぶらとり紙セットは、あぶらとり紙収納容器内部に配される仕切り片により、あぶらとり紙と香料含浸台紙の直接的な接触が防がれている。これにより、あぶらとり紙に香料をにじませることなく、間接的に香りを付与することができる。
請求項６に係るあぶらとり紙セットは、香料を含浸させた台紙とあぶらとり紙を収納可能とする１枚のシートを折り畳んで形成されるあぶらとり紙収納容器からなるので、容器の仕切り片によって香料含浸台紙とあぶらとり紙とが直接的に接触することが防がれ、あぶらとり紙に間接的に香りを付与することを可能とする。
また、容器が、１枚のシートからなるため製造コストを抑えることができ、また製造時間が短縮される。さらに、容器を展開させて開封可能であるため、台紙及びあぶらとり紙の収納及び詰め替えを容易に行うことができる。更に、容器が封じられた状態において、香料含浸台紙とあぶらとり紙の間には、仕切り片が二重に配されるので、携帯時の物理的圧力が生じた場合でも、接触を防ぐことができる。また、台紙が収納される空間とあぶらとり紙が収納される空間は完全に遮断されないために、該台紙から放たれる香りが容器内に充満することとなり、あぶらとり紙に間接的に香りを付与することが可能となる。
請求項７に係るあぶらとり紙セットは、粘度が０．１〜２０ｍＰａ・ｓである香料を用いることから、台紙に香料の適量を容易に含浸することができ、収納容器外部に香料がにじみ出し難くする。
請求項８に係るあぶらとり紙セットは、あぶらとり紙収納容器を有しており、この容器は、合成樹脂被膜を設けた紙から形成されるため、合成樹脂被膜により、あぶらとり紙収納容器外部に香料がにじみでることを防ぐと同時に、あぶらとり紙収納容器内部とあぶらとり紙の摩擦抵抗が軽減するため、使用者があぶらとり紙を抜き取りやすい。
【発明を実施するための最良の形態】
【００１３】
以下、本発明の香料含浸台紙及び該香料含浸台紙が内填されたあぶらとり紙セットについて、図面を参照しつつ詳細に説明する。
【００１４】
図１は、本発明の香料含浸台紙（２３）の斜視図である。本発明の香料含浸台紙（２３）は、あぶらとり紙と共にあぶらとり紙収納容器内に収納される台紙であって、香料が含浸されている。
【００１５】
本発明の香料含浸台紙（２３）の原料となる繊維は特に限定されない。例えば、木材パルプ繊維、マニラ麻、亜麻、大麻、黄麻、楮、三椏、雁皮等の靱皮繊維、コットン、藁、竹、ケナフ等の非木材パルプ繊維、アクリルやレーヨン等の化学繊維、シルク等の動物繊維が挙げられ、特にコットンは、香料の吸収性に優れるうえ、経済的であるため好ましく用いられる。
【００１６】
本発明の香料含浸台紙（２３）の形状は特に限定されず、後述するあぶらとり紙収納容器又はあぶらとり紙の形状に応じて、或は製造効率の向上のために変更可能である。例えば、四角形、円形、三角形等が挙げられる。
【００１７】
本発明に係る香料を含浸させる台紙の坪量は、好ましくは、１５０〜５００ｇ／ｍ２であり、２００〜４００ｇ／ｍ２がより好ましい。坪量が１５０ｇ／ｍ２未満の場合は香料の含湿性に劣り、５００ｇ／ｍ２を超える場合は台紙がかさばり、携帯性に劣るために好ましくない。
【００１８】
本発明の台紙（２３）に含浸される香料は特に限定されない。例えば、レモン油、オレンジ油、グレープフルーツ油、ベルガモット油、パチョリ油、ローズマリー油、クローブ油、ネロリ油、プチグレン油、ペパーミント油、マンダリン油、ライム油、ユズ油、ゼラニウム油、カモミール油、ラベンダー油、ローズ油、スペアミント油等の天然香料類；リナロール、シトロネロール、メントール、ゲラニオール、ペリラアルコール、ベンジルアルコール、フェニルエチルアルコール、シンナミルアルコール、シス−３−ヘキセノール、１−オクテン−３−オール、ペンタノール、ヘキサノール、ターピネオール、ファルネソール等のアルコール類；ヘキシルシンナミックアルデヒド、オクタナール、デカナール、シトロネラール、ペリラアルデヒド、シトラール、ヒドロキシシトロネラール、ベンズアルデヒド、２，６−ノナジエナール、２，４−デカジエナール、２−トランス−ヘキセナール、５−メチルフルフラール、バニリン、アニスアルデヒド、シンナミックアルデヒド等のアルデヒド類；カルボン、メントン、イオノン、メチルヘプテノン、２−ヘプタノン、２−ノナノン等のケトン類；プロピオン酸、デカン酸、ミリスチン酸、パルミチン酸、オレイン酸、リノール酸、ゲラン酸、シンナミック酸等のカルボン酸類；メチルジヒドロジャスモネート、フェニルエチル  アセテート、メチル  サリシレート、エチル  ヘキサノエート、メチル  シンナメート、γ−ウンデカラクトン、メンチル  アセテート、シンナミル  アセテート、ターピニル  アセテート等のエステル類；アニソール、ローズオキシド、リナロールオキシド等のエーテル類；フランチオール、２−メチル−３−フランチオール、３，４，５，６−テトラハイドロ−２，４，６−トリメチル−２Ｈ−１，３，５−チアジアジン、５，６−ジハイドロ−２，４，６−トリメチル−４Ｈ−１，３，５−ジチアジン、６−アセチル−１，１，３，４，４，６−ヘキサメチル-テトラヒドロナフタレン、５−アセチル−１，１，２，３，３，６−ヘキサメチルインダン等のその他の合成香料などが挙げられる。これらを単独で用いても、複数を組み合わせて調合香料として用いてもよい。香料の選択は、所望の香調によって決定されることが望ましい。
【００１９】
上記香料（調合香料を含む）の粘度は、０．１〜２０ｍＰａ・ｓが好ましく、０．５〜１０ｍＰａ・ｓがより好ましい。前記粘度の香料を用いれば、香料の適量を容易に台紙に含浸させることができる。即ち、前記粘度の香料は、台紙に含浸後の乾燥速度が速いため、台紙への香料の含浸量が適量となり、収納容器外部に香料がにじみ出すことがなくなり、ほのかな香りをあぶらとり紙に付与することができる。
香料の含浸方法は特に限定されないが、密閉容器に充填された香料に、台紙の一端を浸して台紙全体に香料を湿潤させる方法が望ましく用いられる。即ち、この方法によれば、一定量の香料を台紙に簡便且つ均一に含浸させることができる。この場合、前記粘度の香料を用いると、台紙への湿潤速度が速くなる効果も奏する。
【００２０】
以下、本発明のあぶらとり紙セットの好適な実施形態について図２及び図３を参照して説明する。
【００２１】
図２は、本発明に係るあぶらとり紙セットの斜視図であり、図３は、図２のＡ−Ａ´線断面図である。
本発明のあぶらとり紙セットは、あぶらとり紙（２１）と、あぶらとり紙（２１）を内部空間に収容するあぶらとり紙収納容器（２２）と、容器（２２）の内底面と前記あぶらとり紙（２１）の間に配置される台紙（２３）とから成り、台紙（２３）には香料が含浸されている。
【００２２】
本発明において、あぶらとり紙（２１）の種類（材質等）としては、例えば、和紙、用紙、混抄紙、麻パルプ紙等が挙げられるが、特に限定されない。
あぶらとり紙収納容器（２２）は、略直方体形状をなし、底面に配される底部片（１）と、表面に配置される上蓋片（２０）の直下方に配置される中蓋片（４）とを有している。
【００２３】
容器（２２）は、その内部空間に、あぶらとり紙（２１）と台紙（２３）との間に介在されて、これらの接触を防ぐ仕切り片（２）、(３)、(５)、（６）を有している。
仕切り片（２）、（３）は、底部片（１）の左右からそれぞれから折り返されて形成され、仕切り片（５）、（６）は、中蓋片（４）の左右からそれぞれから折り返されて形成されており、これら仕切り片（２）、（３）と仕切り片（５）、（６）は、それぞれ上下に重なっている（図３参照）。
【００２４】
仕切り片（５）、（６）と上蓋片（２０）の間に形成される空間には、あぶらとり紙（２１）が収納され、仕切り片（２）、（３）と底部片（１）の間に形成される下方空間には、台紙（２３）が収納されている。
このように、あぶらとり紙（２１）と香料含浸台紙（２３）との間には仕切り片（２）、（３）、（５）及び（６）が介在することで、あぶらとり紙（２１）と香料含浸台紙（２３）の直接的な接触が防がれる。特に、あぶらとり紙（２１）と香料含浸台紙（２３）の間に仕切り片（仕切り片（２）と（５）、仕切り片（３）と（６））が２重に介在するので、携帯時にあぶらとり紙セットに対して物理的圧力が生じた場合においても、あぶらとり紙（２１）と香料含浸台紙（２３）が直接接触する可能性は極めて低い。
また、容器（２２）が、封じられた状態において、仕切り片（５）の折り返し端部（１８）と仕切り片（６）の折り返し端部（１９）、及び仕切り片（２）の折り返し端部（１６）と仕切り片（３）の折り返し端部（１７）の間には、夫々若干の隙間がある。この隙間によって、収納された台紙からの香りが間接的にあぶらとり紙に付与されることとなる。前記隙間の大きさは任意に決定してもよい。或は、仕切り片（２）の折り返し端部（１６）と仕切り片（３）の折り返し端部（１７）を切り取るような切り欠き部（図４を用いて後述する）を設けることによって、仕切り片（２）と仕切り片（３）の間に隙間を形成することができ、台紙からあぶらとり紙への間接的な香りの付与が容易に可能となる。
【００２５】
次に図４及び図５を参照して、あぶらとり紙収納容器（２２）について説明する。図４は、本発明に係るあぶらとり紙収納容器（２２）の展開図である。収納容器（２２）は、１枚のシート（例えば厚紙等）を折り畳んで形成される容器であって、前記シートは展開状態において、容器の上蓋を形成する上蓋片（２０）と、容器の底面を形成する底部片（１）と、これらの底部片と上蓋片との間に介在される中蓋片（４）とが、折り返し線（点線で示す）を挟んでこの順に上下に連続して形成されてなる。
【００２６】
上蓋片（２０）の上辺部には、差込片（１３）が設けられている。この差込片（１３）は、容器（２２）が封じられた状態においては、中蓋片（４）と側片（８）の間の折り返し線に沿って設けられた切込み（１４）に差し込まれることとなる。
底部片（１）の周辺部には、折り返し線を介して仕切り片（２）及び（３）、側片（８）及び（１２）が設けられている。前記側片（８）及び（１２）は、容器（２２）が封じられた状態において側面を形成することとなる。
中蓋片（４）の周辺部には、折り返し線を介して側片（９）、（１０）及び（１１）が設けられ、該側片には、折り返し線を介して仕切り片（５）及び（６）が設けられている。前記側片（９）及び（１１）は、容器（２２）が封じられた状態において側面を形成することとなる。側片（１０）は、容器（２２）が封じられた状態においては、側片（１２）の内側に配されることとなり、側片（１０）に折り返し線を介して設けられた差込部（７）は、その封じられた状態において、底部片（１）と仕切り片（２）、（３）の間に差し込まれることとなる。また、中蓋片（４）には、抜き取り口（１５）が設けられ、内部に収納されたあぶらとり紙を抜き取り可能とする。前記抜き取り口（１５）の形状は特に限定されないが、該抜き取り口から抜き取られるあぶらとり紙の形状に対応させることが好ましい。
【００２７】
仕切り片（２）及び（３）は、底部片（１）と共に香料含浸台紙を保持する。また、前記仕切り片は、中蓋片（４）に面して置かれるあぶらとり紙と前記台紙が直接的に接触することを防ぐと共に、香料含浸台紙の乾燥を防ぐ役割をも果たす。また、仕切り片（２）及び仕切り片（３）の形状は特に限定されないが、図４で示す仕切り片(２)には、三角形状の切り欠き部（２ａ）、また、仕切り片（３）には三角形状の切り欠き部（３ａ）が設けられている。これにより、台紙とあぶらとり紙が完全に遮断されないため、仕切り部（２）の折り返し端部（１６）と仕切り部（３）の折り返し端部（１７）の間に隙間が生じないような場合であっても、台紙からあぶらとり紙への間接的な香りの付与が可能となる。
同様に、仕切り片（５）及び（６）は、側片（８）、（９）、（１０）（１１）及び中蓋片（４）と共にあぶらとり紙を保持する。また、前記仕切り片（５）及び（６）は、あぶらとり紙と前記台紙が直接的に接触することを防ぐ役割を果たすとともに、台紙からあぶらとり紙への間接的な香りの付与を可能とするものである。
【００２８】
図５は、本発明に係るあぶらとり紙収納容器（２２）の展開図である図４において点線で示した折り返し線で幾分折り曲げた状態であり、図２で示す容器（２２）が封じられた状態に至る途中の状態を表したものである。
図５において、あぶらとり紙は、中蓋片（４）上に置かれ、側片（９）、（１０）、（１１）及び仕切り片（５）、（６）で囲まれることとなる。
香料含浸台紙は、底部片（１）に面して置かれ、仕切り片（２）、（３）で囲まれることとなる。
【００２９】
次に、図５を参照して、あぶらとり紙及び香料含浸台紙の収納方法について説明する。まず、あぶらとり紙及び香料含浸台紙を上記所定の場所に置く。即ち、あぶらとり紙は、中蓋片（４）に面して、香料含浸台紙は底部片（１）に面して置かれる。
次に、中蓋片（４）と側片（９）、（１１）の間の各折り返し線、及び側片（９）、（１１）と仕切り片（５）、（６）との間の各折り返し線に沿って略９０度に、底部片（１）と仕切り片（２）、（３）との間の各折り返し線に沿って略１８０度に折る。
次に、底部片（１）と側片（８）との間の折り返し線、側片（８）と中蓋片（４）との間の折り返し線に沿って略９０度に折り、さらに中蓋片（４）と側片（１０）との間の折り返し線、側片（１０）と差込部（７）との間の折り返し線に沿って略９０度に折ると共に、差込部（７）を底部片（１）と仕切り片（２）、（３）或は香料含浸台紙との間に差し込む。
次に、差込片（１３）を切込み（１４）へ導くように、底部片（１）と側片（１２）との間の折り返し線、側片（１２）と上蓋片（２０）との間の折り返し線に沿って略９０度に折る。最後に、差込片（１３）を切込み（１４）に差し込む。
【００３０】
容器（２２）の材質は、少なくとも香料含浸台紙及びあぶらとり紙を収納し保管するための強度を有していれば特に限定されない。例えば、プラスティック、厚紙等が挙げられ、製造コスト及び製造時間を考慮すると厚紙を用いることが好ましい。
また、容器（２２）の形状は、香料含浸台紙及びあぶらとり紙が収納可能であり、且つ、使用者が携帯可能であれば特に限定されない。
【００３１】
容器（２２）内面には、香料成分が外部ににじみ出ることを防ぐために合成樹脂被膜を設けることが好ましい。用いられる合成樹脂被膜は特に限定されないが、香料の透過防止に優れているＰＰ（ポリプロピレン）を使用することが望ましい。
【図面の簡単な説明】
【００３２】
【図１】本発明の香料含浸台紙の斜視図である。
【図２】本発明のあぶらとり紙セットの封じられた状態を示す斜視図である。
【図３】図２に示した本発明のあぶらとり紙セットが封じられた状態のＡ−Ａ´線断面図である。
【図４】本発明のあぶらとり紙セットに含まれるあぶらとり紙収納容器の展開図である。
【図５】本発明に係るあぶらとり紙収納容器の展開図である図４において点線で示した折り返し線に沿って幾分折り曲げた状態を示す図である。
【符号の説明】
【００３３】
１          底部片
２          仕切り片
２ａ        切り欠き部
３          仕切り片
３ａ        切り欠き部
４          中蓋片
５          仕切り片
６          仕切り片
７          差込部
８          側片
９          側片
１０        側片
１１        側片
１２        側片
１３        差込片
１４        切込み
１５        抜き取り口
１６        折り返し端部
１７        折り返し端部
１８        折り返し端部
１９        折り返し端部
２０        上蓋片
２１        あぶらとり紙
２２        あぶらとり紙収納容器
２３        香料含浸台紙
【図１】
2006204531.tif 000003
【図２】
2006204531.tif 000004
【図３】
2006204531.tif 000005
【図４】
2006204531.tif 000006
【図５】
2006204531.tif 000007